【事件の表示】
　特願２００１−　　３９９６号「車椅子用ショッピングカート」拒絶査定不服審判事件〔平成１４年　７月２３日出願公開、特開２００２−２０５６５３号〕について、次のとおり審決する。
【結　論】
　本件審判の請求は、成り立たない。
【理　由】
第１　手続の経緯
　本件出願は、平成１３年　１月１１日の出願であって、平成１８年　３月２３日付けで拒絶査定がなされ、これに対して、平成１８年　５月　１日に拒絶査定不服審判が請求されるとともに、平成１８年　５月２４日付けで手続補正がなされたものである。
　
第２　平成１８年　５月　２４日付けの手続補正についての補正却下の決定
［補正却下の決定の結論］
　平成１８年　５月２４日付けの手続補正を却下する。
　
［理　由］
１．　補正後の請求項１に記載された発明
　本件補正により、特許請求の範囲の請求項１は、
「車椅子の前部に連結して使用する車椅子用ショッピングカートであって、
　自在キャスターを取り付けたベースフレームと、該ベースフレームの後端部に立設された門型フレームと、ショッピングかごを保持するために該門型フレームの前側に固定された上かご保持フレームと、ショッピングかごを保持するために該ベースフレーム上に固定された下かご保持フレームとを備え、
　該門型フレームの両側に連結アームが
該車椅子側から見て上下左右に
該連結ベルトに面ファスナがその雄面と雌面を表裏に分けて取着された
　と補正された。
　
　上記補正は、補正前の請求項１に記載された発明を特定するために必要な事項に対して、上記下線部分の限定を付加するものであって、具体的には、補正前の発明における「連結アーム」の「揺動」に関して、「車椅子側から見て上下左右に揺動可能」であることを限定するとともに、補正前の発明における「連結ベルト」に関して、「連結ベルトに面ファスナがその雄面と雌面を表裏に分けて取着された」点を限定したものであり、当該補正は、平成１８年改正前の特許法第１７条の２第４項第２号の特許請求の範囲の減縮を目的とするものに該当する。
　そこで、本件補正後の請求項１に記載された発明（以下「本願補正発明」という。）が、特許出願の際独立して特許を受けることができるものであるか（平成１８年改正前の特許法第１７条の２第５項において準用する同法第１２６条第５項の規定に適合するか）について以下に検討する。
　
２．　引用刊行物
　原査定の拒絶の理由に引用された、特開平８−２４４６１９号公報（以下「刊行物１」という。）、特開２０００−７１９９１号公報（以下「刊行物２」という。）には、次の技術的事項が記載されている。
　
（１）　刊行物１の記載内容
　（ア）　「【発明の詳細な説明】
【０００１】
【産業上の利用分野】本発明はスーパーマーケット等で使用される車イス用ショッピングカートに関する。
【０００２】
【従来の技術】従来、車イスの使用者がスーパーマーケット等で買い物をする場合、買い物カゴをかかえて行なっている。
【０００３】
【本発明が解決しようとする課題】従来の車イスの使用者が買い物カゴをかかえて店内を移動しなければならないので、大変で、十分な買い物ができないという欠点があった。
【０００４】本発明は以上のような従来の欠点に鑑み、どんな車イスにでも簡単に取付けることができるとともに、異和感なく車イスを操作して店内を移動して楽に買い物を行なうことができる車イス用ショッピングカートを提供することを目的としている。
【０００５】本発明の前記ならびにそのほかの目的と新規な特徴は次の説明を添付図面に照し合せて読むと、より完全に明らかになるであろう。ただし、図面はもっぱら解説のためのものであって、本発明の範囲を限定するものではない。
【０００６】
【課題を解決するための手段】上記目的を達成するために、本発明は後部より車イスに座った人の足部が入り込むように形成された四角部にキャスターが取付けられた下部フレームと、この下部フレームの後部両端部より上方に突出する支柱フレームと、この支柱フレームの上部寄りの部位に前記車イスに座った人が座った状態で買う商品を収納できるように買い物カゴを支持する買い物カゴ支持フレームと、前記支柱フレームに取付けられた上下左右方向に移動可能なアームと、このアームの先端部に取付けられた前記車イスのフレームに着脱可能に取付けることができる係止具とで車イス用ショッピングカートを構成している。
【０００７】
【作用】上記のように構成された車イス用ショッピングカートは、車イスを後部に位置させ、上下左右方向に移動するアームの先端部の係止具を車イスの前方のフレームに取付けることにより、車イスと車イス用ショッピングカートとが一体となり、車イスの操作によって移動する。また、車イスに座った状態で買い物カゴに購入する商品を収納することができる。
【０００８】
【本発明の実施例】以下、図面に示す実施例により、本発明を詳細に説明する。
【０００９】図１ないし図９の本発明の第１の実施例において、１は後部より車イス２に座った人の足部３が入り込むように形成された下部フレームで、この下部フレーム１はネスティングが可能となるように先端部が小幅寸法のコ字状となるようにパイプ材を曲げ加工したものが使用され、先端角部にキャスター取付板４、４が溶接固定されている。
【００１０】５は前記下部フレーム１の後端部に下部両端部が溶接等によって固定されたコ字状の支柱フレームで、この支柱フレーム５はパイプ材をコ字状に折り曲げ加工されたもので、上部の握りバー５ａにはゴムあるいは樹脂材製のグリップ６、６が固定されている。
【００１１】７、７は前記下部フレーム１のキャスター取付板４、４に座金４ａおよびナット４ｂによってそれぞれ取付けられたキャスターである。
【００１２】８、８は前記支柱フレーム５の両側支柱５ｂ、５ｂの下端部にそれぞれ取付けられたキャスターで、このキャスター８、８は前記下部フレーム１の両端部に取付けてもよい。
【００１３】９は前記支柱フレーム５の上部寄りの部位で車イス２に座ったままで買い物を収納できるように取付けられた買い物カゴ１０を支持する買い物カゴ支持フレームで、この買い物カゴ支持フレーム９は前記下部フレーム１とほぼ同じ形状にパイプ材で形成され、両後端部が前記支柱フレーム５の両側支柱５ｂ、５ｂの上部寄りの部位に溶接等によって固定された枠フレーム１１と、この枠フレーム１１内に挿入された買い物カゴ１０の下部を支持するように後端部が前記支柱フレーム５の両側支柱５ｂ、５ｂに溶接等によって固定され、順次小幅寸法で先端部が上方に折り曲げられて前記枠フレーム１１のほぼ中央部に溶接等によって固定された支持フレーム１２と、この支持フレーム１２の先端部に溶接等によって固定されたパネル取付けプレート１３とで構成されている。
【００１４】１４、１４は前記支柱フレーム５の両側支柱５ｂ、５ｂの上部寄りの部位に上下左右方向に移動可能に取付けられた一対のアームで、この一対のアーム１４、１４は両端部にねじ棒１５、１６がそれぞれ形成された上下左右方向に移動させることができるフレキシブルチューブ１７、１７と、このフレキシブルチューブ１７、１７の一端部のねじ棒１５、１５が挿入される、ねじ孔１８、１８が形成された前記両側支柱５ｂ、５ｂの上部寄りの部位に溶接等で固定された取付板１９、１９と、この取付板１９、１９のねじ孔１８、１８を通過した前記ねじ棒１５、１５にバネ座金２０、２０を介して螺合されるナット２１、２１とで構成されている。
【００１５】２２、２２は前記一対のアーム１４、１４の後端部にそれぞれ取付けられた車イス２の両側フレーム２３、２３に着脱可能に取付けることができる外側部位で開閉操作することができる係止具としてのクリップで、このクリップ２２、２２は前記フレキシブルチューブ１７、１７の他端部のねじ棒１６、１６にバネ座金２４、２４を介してナット２５、２５でそれぞれ固定される挟着部２６、２６およびつまみ部２７、２７を有するＬ字状の固定挟着片２８、２８と、この固定挟着片２８、２８に座金２９ａおよびナット２９ｂによって取付けられた枢支ピン２９、２９を介して回動可能に取付けられた該固定挟着片２８、２８の挟着部２６、２６と対応する部位に挟着部３０、３０および前記つまみ部２７、２７と対応する部位につまみ部３１、３１を有する可動挟着片３２、３２と、この可動挟着片３２、３２の挟着部３０、３０を常時前記固定挟着片２８、２８の挟着部２６、２６方向へ常時付勢する付勢スプリング３３、３３とで構成されている。
【００１６】上記構成の車イス用ショピングカート３４は、買い物カゴ支持フレーム９に買い物カゴ１０を支持させ、車イス２で後部に位置し、クリップ２２、２２の外側に位置するつまみ部２７、３１を操作して、図１に示すように車イス２の両側フレーム２３、２３に挟着させる。この状態で、車イス２を通常どおりに操作して移動させることにより、車イス２と一体になって車イス用ショッピングカート３４を移動させることができる。
【００１７】
【本発明の異なる実施例】次に図１０ないし図１５に示す本発明の異なる実施例につき説明する。なお、これらの本発明の異なる実施例の説明に当って、前記本発明の第１の実例と同一構成部分には同一符号を付して重複する説明を省略する。
【００１８】図１０および図１１の本発明の第２の実施例において、前記本発明の第１の実施例と主に異なる点は、支柱フレーム５の両側支柱５ｂ、５ｂにほぼ９０°上下方向に回動するように枢支ピン３５、３５で取付けられた左右方向に曲げることができる板バネ材製の一対のアーム１４Ａ、１４Ａを用いた点で、このように形成した一対のアーム１４Ａ、１４Ａを用いて車イス用シヨッピングカート３４Ａを構成しても、前記本発明の第１の実施例と同様な作用効果が得られる。
【００１９】図１２および図１３の本発明の第３の実施例において、前記本発明の第１の実施例と主に異なる点は、直接購入する商品を収納することもできるカゴ状の買い物カゴ支持フレーム９Ａを用いた点で、このように形成した買い物カゴ支持フレーム９Ａを用いて車イス用ショツピングカート３４Ｂを構成しても、前記本発明の第１の実施例と同様な作用効果が得られる。
【００２０】図１４および図１５の本発明の第４の実施例において、前記本発明の第３の実施例と主に異なる点は、支柱フレーム５の一方の支柱５ｂに上下左右方向に曲げることができるアーム１４を取付け、該アーム１４の先端部に係止具としてクリップ２２を取り付けた点で、このように構成した車イス用ショツピングカート３４Ｃにしても、前記本発明の第３の実施例と同様な作用効果が得られる。
【００２１】なお、前記本発明の各実施例では係止具としてクリップ２２を用いたものに付いて説明したが本発明はこれに限らず、車イス２の両側部のフレーム２３、２３に着脱可能に係止することができる面ファスナー、ゴムバンド、チェーン、紐、ベルト等をを用いてもよい。」（第２頁第１欄〜第３頁第４欄）
　
　ここで、主に上記記載事項及び図面から次のことが明らかである。
　・上記刊行物１の第１図面の構成によれば、「車イス用ショッピングカート３４」は、「車イス２」の前部側に位置していると認められる。
　
　・上記刊行物１の第６図面の構成によれば、「両側フレーム２３」の断面形状は円形形状であると認められる。
　
　・上記刊行物１の段落【００１８】に記載の第２の実施例に係る構成は、段落【０００８】〜【００１６】に記載の第１の実施例の構成と異なる部分を開示しているから、前記第２の実施例において、特定のない構成は、第１の実施例と同等な構成として認定する。
　
　すると、刊行物１には、次の発明（以下「引用発明」という。）が開示されているものということができる。
　「車イス２の前部に連結して使用する車イス用ショッピングカート３４Ａであって、
　キャスター７，８を取付けた下部フレーム１と、下部フレーム１の後端部に立設したコ字状の支柱フレーム５と、買い物カゴ１０を保持するために支柱フレーム５の前側に固定された買い物カゴ支持フレーム９を備え、
　支柱フレーム５の両側にアーム１４Ａが、車イス側から見て上下方向に回動するよう揺動自在に枢支ピン３５によって枢支され、かつ、アーム１４Ａが、左右方向に曲げることができる板バネ材によって構成され、
　車イス２の両側フレーム２３が円形の断面形状を備え、
　アーム１４Ａの先端に車イス２の両側フレーム２３と着脱可能に連結される係止具が設けられ、係止具として、前記両側フレーム２３を固定する挟持部２６を有するクリップ２２、又は面ファスナーが設けられた車イス用ショッピングカート。」
　
（２）　刊行物２の記載内容
　「【発明の実施の形態】以下、この発明のショッピングカートの実施の形態を、図面に基づいて詳細に説明する。
【０００８】図１〜４に示したように、この発明のショッピングカートは、下方に四個のキャスター１が取り付けられた台座フレーム２にかご受け３を設けると共に、台座フレーム２の後方両端に立設された支持フレーム４の前方上段及び後方中段にかご受け５、６を設け、それぞれのかご受け３、５、６に買物かごＢを載せることにより、複数個の買物かごＢを載置可能としたものとしている。
【０００９】台座フレーム２は、先端になるにしたがい小幅寸法とした略「コ」字状としており、その上方に同じく先端になるにしたがい小幅寸法とした前記かご受け３が設けられている。このかご受け３は、上側支持枠３ａと下側支持枠３ｂとからなり、それぞれ前方に向かってやや下り傾斜になるようにしており、買物かごＢを縦向きに支持するようにしている。
【００１０】支持フレーム４は、側面立設形状が前方へ略「く」字状に屈曲したものとしており、上部を後方に向かってやや上り傾斜になるまで折り曲げ、さらに上端部を水平状態にそれぞれ内側に折り曲げ、この折り曲げ部をハンドル７にしている。そして、この支持フレーム４の前方上段に設けた前記かご受け５は、先端になるにしたがい小幅寸法としており、上側支持枠５ａと下側支持枠５ｂとからなり、上側支持枠５ａは前方に向かってやや下り傾斜になるようにし、下側支持枠５ｂは前方に向かってやや上り傾斜になるようにしており、買物かごＢを縦向きに支持するようにしている。さらに、支持フレーム４の後方中段に設けた前記かご受け６は、支持フレーム４の略「く」字状の頂部より少し上から斜め下方に突設した買物かごＢの一側壁の内側上部の支持体６ａと、前記略「く」字状の頂部より少し下から水平に突設した買物かごＢの底部の外側前部の支持体６ｂからなり、買物かごＢを横向きに支持するようにしている。
【００１１】支持体６ａは、フック形状とするなどして買物かごＢの一側壁の内側上部を支持できる形状とすれば、特にその形状は限定されない。
【００１２】支持体６ｂは、長方形枠とするなどして買物かごＢの底部の外側前部のみを支持するものとしているため、嵩張らないものとなり、ショッピングカートをネスティング状態で収納保管する場合に、邪魔になるようなことはない。
【００１３】以上のように構成されたこの発明のショッピングカートは、図４に示したように、それぞれのかご受け３、５、６に買物かごＢを載せて使用される。
【００１４】すなわち、前記かご受け３、５には、これらの上に買物かごＢを単に置けば買物かごＢを安定した状態で載せておくことができる。また、前記かご受け６には、支持体６ａに買物かごＢの一側壁の内側上部を引っ掛ると共に、支持体６ｂに買物かごＢの底部の外側前部を置くようにすれば、買物かごＢはその自重により一側壁の内側上部と、底部の外側前部とがかご受け６に支持されることになり、安定した状態でこのかご受け６に載せておくことができる。
【００１５】さらに、この発明のショッピングカートは、ネスティング状態で収納保管する場合には、かご受け３、５、６から買物かごＢをすべて降ろし、図５に示したように、前方になるショッピングカートの台座フレーム２の内側に、後方になるショッピングカートの台座フレーム２を次々に差し込めば、前方になるショッピングカートのかご受け３、５の内側に、後方になるショッピングカートのかご受け３、５が次々に差し込まれ、充分なネスティング状態として収納保管することができる。」（第２頁第２欄〜第３頁第３欄）
　
３．　本願補正発明と引用発明との対比 
（１）　両発明の対応関係
　・引用発明の「車イス２の前部に連結して使用する車イス用ショッピングカート３４Ａ」は、本願補正発明の「車椅子の前部に連結して使用する車椅子用ショッピングカート」に相当する。
　
　・引用発明の「キャスター７，８」は、本願補正発明の「自在キャスター」に相当する。以下同様に、「下部フレーム１」は「ベースフレーム」、「コ字状の支柱フレーム５」は「門型フレーム」、「買い物カゴ１０」は「ショッピングかご」、「買い物カゴ支持フレーム９」は「上かご保持フレーム」、「アーム１４Ａ」は「連結アーム」、「係止具」は「連結機構」、「面ファスナー」は「面ファスナ」にそれぞれ相当する。
　
（２）　両発明の一致点
　「車椅子の前部に連結して使用する車椅子用ショッピングカートであって、
  自在キャスターを取り付けたベースフレームと、該ベースフレームの後端部に立設された門型フレームと、ショッピングかごを保持するために該門型フレームの前側に固定された上かご保持フレームと、
  門型フレームの両側に連結アームが車椅子側から見て上下に揺動可能に枢支され、連結アームの先端に車椅子の前フレーム部と着脱可能に連結される連結機構が設けられ、該連結機構に、面ファスナを用いた車椅子用ショッピングカート。」
　
（３）　両発明の相違点
　（ア）　本願補正発明のものが、「ショッピングかごを保持するために該ベースフレーム上に固定された下かご保持フレーム」を備えているのに対して、引用発明のものは、このような構成を備えていない点。
　
　（イ）　「門型フレーム」に対する「連結アーム」の支持構成が、本願補正発明のものは、「門型フレームの両側」に、「車椅子側から見て上下左右に揺動可能に枢支」されているのに対して、引用発明のものは、車椅子側から見て「上下」に揺動可能に枢支されているが、「左右」には揺動可能に枢支されていない点。
　
　（ウ）　「連結機構」が、本願補正発明のものは、「車椅子の前フレーム部に当接する半円筒形当て部と、該前フレーム部を該連結アームの先端部と共に巻付けて連結する連結ベルトとが設けられ、該連結ベルトに面ファスナがその雄面と雌面を表裏に分けて取着」されているのに対して、引用発明のものは、「クリップ」又は「面ファスナ」によって構成されるが、それ以上の構成は明らかでない点。
　
４．　容易推考性の検討
（１）　相違点（ア）について
　刊行物２には、キャスター１を取り付けた台座フレーム２と、台座フレーム２の後端部に立設された門型形状の支持フレーム４と、支持フレーム４の前側にかご受け５を設け、買物かごＢを載置可能とし、また、台座フレーム２上に、かご受け３を設け、かご受け３に買物かごＢを載置可能としたショッピングカートが記載されている。
　すると、刊行物２に記載されているような「かご受け３」を、引用発明における「下部フレーム１」上に設けることは、当業者が必要に応じてなし得る設計的事項といえる。
　なお、刊行物２の「ショッピングカート」において、「かご受け３」は、図面の構成から見て、「ショッピングカート」に対して一体的に設けられた構成であると認められるから、前記「かご受け３」を、引用発明の「下部フレーム１」上に設ける上で、「下部フレーム１」に対して「固定」することは当業者であれば適宜設定し得た構成であると認められる。
　したがって、本願補正発明の相違点（ア）に係る構成は、当業者が容易になし得た構成である。
　
（２）　相違点（イ）について
  引用発明において、アーム１４Ａは、支柱フレーム５の両側に、車イス側から見て上下方向に回動するよう揺動自在に枢支ピン３５によって枢支され、かつ、アーム１４Ａが、左右方向に曲げることができる板バネ材によって構成されている。
　すなわち、前記引用発明において、アーム１４Ａは、アーム自体が左右方向に曲がることにより、先端部が車イス２に対して左右方向に変位可能な構成であるということができる。
　そして、アームを左右方向に変位可能とする構成として、左右方向に揺動可能な枢支が周知慣用のものであるので、枢支ピン３５を、上下方向に加えて左右方向にも揺動可能に枢支可能な構成とすることは、当業者であれば適宜選択し得た設計上の選択事項であると認められる。
　よって、本願補正発明の相違点（イ）に係る構成は、当業者が必要に応じてなし得た設計事項といえる。
　
（３）　相違点（ウ）について
　引用発明においては、「係止具」として、「円形の断面形状の両側フレーム２３を固定する挟持部２６を有するクリップ２２」、及び「面ファスナー」が記載されている。
　
　「面ファスナ」の構成として、「ベルト」形状とし、「面ファスナ」の「雄面」と「雌面」を表裏に分けて取着し、対象物に巻付けて複数部材を連結することは、周知の技術（以下「周知技術１」という。例えば、特許第２８８０９６７号公報；取付布用テープ体１１，２１等参照、特開平９−２９９００８号公報；釣竿携帯用保持具１等参照、特開２０００−１７１４９０号公報；本体４を人間の腕に固定するベルト１０等参照。）である。
　
　また、円形の断面形状を備えた部材の、外周面に対して他の部材を当接する場合、その当接部を安定させるなどのために、半円筒形当て部を備えさせることは周知の技術（以下「周知技術２」という。例えば、特開昭６３−２６４０６号公報；第８図面「取り付け部品１１'''''」等参照、登録実用新案第３０４３７６０号公報；鞍状部３ａ等参照、特開２０００−９２８３号公報；サドル部１１等参照、特開平１１−３３６９８２号公報；サドル部３ａ等参照。）である。
　
　すると、引用発明における、両側フレーム２３に、アーム１４Ａを連結するための「面ファスナー」として、上記「周知技術１」を採用して、これを連結ベルトとし、その雄面と雌面を表裏に分けて取着した構成とするとともに、両側フレーム２３とアーム１４Ａの当接部に、上記「周知技術２」を採用して、アーム先端に半円筒形当て部を設け、本願補正発明に係る相違点（ウ）に係る構成とすることは、当業者にとって容易想到の範囲というべきである。
　
（５）　総合判断
　本願補正発明の作用効果は、刊行物１、２に記載された発明、及び上記の各周知技術から、当業者であれば予測できた範囲のものである。
　すると、本願補正発明は、刊行物１、２に記載された発明に基づいて当業者が容易に発明をすることができたものということができる。
　
５．　むすび
　以上のとおり、本願補正発明は、特許法第２９条第２項の規定により特許出願の際独立して特許を受けることができないものであり、本件補正は、平成１８年改正前特許法第１７条の２第５項において準用する同法第１２６条第５項の規定に違反するものであるから、特許法第１５９条第１項において読み替えて準用する同法第５３条第１項の規定により却下を免れない。
　
第３　本願発明について
１．　本願発明
　平成１８年　５月２４日付けの手続補正は、上記のとおり却下されたので、本件出願の請求項１〜３に係る発明は、
　平成１７年　８月１０日付けで補正された明細書の特許請求の範囲の請求項１〜３に記載されたとおりの事項により特定されるものであるところ、請求項１には次のとおりに記載されている。
　「車椅子の前部に連結して使用する車椅子用ショッピングカートであって、
　自在キャスターを取り付けたベースフレームと、該ベースフレームの後端部に立設された門型フレームと、ショッピングかごを保持するために該門型フレームの前側に固定された上かご保持フレームと、ショッピングかごを保持するために該ベースフレーム上に固定された下かご保持フレームとを備え、
　該門型フレームの両側に連結アームが揺動可能に枢支され、該連結アームの先端に前記車椅子の前フレーム部と着脱可能に連結される連結機構が設けられ、該連結機構には、該車椅子の前フレーム部に当接する半円筒形当て部
と、該前フレーム部を該連結アームの先端部と共に巻付けて連結する連結ベルトとが設けられたことを特徴とする車椅子用ショッピングカート。」
　
２．　引用刊行物
　原査定の拒絶の理由に引用された刊行物１、２とその記載事項は、前記の「第２　２．」に記載したとおりである。
　
３．　対比・判断
　本件出願の請求項１に係る発明の構成を全て含むとともに、当該発明の構成に更に限定を付加した本願補正発明が、前記「第２　３．」以下に記載したとおり、刊行物１、２に記載された発明に基づいて当業者が容易に発明をすることができたものであるから、本件出願の請求項１に係る発明も、同様の理由により、当業者が容易に発明をすることができたものといえる。
　
４．　むすび
　したがって、本件出願の請求項１に係る発明については、特許法第２９条第２項の規定により特許を受けることができず、本件出願は拒絶されるべきものである。
　よって、結論のとおり審決する。